(57)【要約】【課題】ターミナル情報に基づいてどのテナント店舗に設置されているＰＯＳターミナルなのかを上位のホストコンピュータが判断しなくても、各テナント店舗別の売上にかかる情報を容易に把握する。【解決手段】商品販売登録データ処理装置は、テナント店舗で販売される商品を部門コード単位で売上登録処理する商品販売登録データ処理装置において、前記テナント店舗の店舗識別コードであるテナントコードの入力を受け付けるテナントコード入力手段と、前記テナント店舗で販売される商品の売上にかかる情報の入力を受け付ける売上情報入力手段と、前記売上情報入力手段により入力された前記売上にかかる情報を、前記部門コードの代わりに前記テナントコード入力手段により入力された前記テナントコードに対応付けて上位のコンピュータシステムに送信する情報送信手段と、を備える。【選択図】図６
2015087822.tif 000002
【特許請求の範囲】
【請求項１】
テナント店舗で販売される商品を部門コード単位で売上登録処理する商品販売登録データ処理装置において、
前記テナント店舗の店舗識別コードであるテナントコードの入力を受け付けるテナントコード入力手段と、
前記テナント店舗で販売される商品の売上にかかる情報の入力を受け付ける売上情報入力手段と、
前記売上情報入力手段により入力された前記売上にかかる情報を、前記部門コードの代わりに前記テナントコード入力手段により入力された前記テナントコードに対応付けて上位のコンピュータシステムに送信する情報送信手段と、
を備えることを特徴とする商品販売登録データ処理装置。
【請求項２】
前記テナント店舗における前記売上にかかる情報の入力を宣言するキーであるテナント売上宣言キーを更に備え、
前記テナントコード入力手段および前記売上情報入力手段は、前記テナント売上宣言キーが入力された場合、前記テナントコードおよび前記売上にかかる情報の入力を受け付ける、
ことを特徴とする請求項１記載の商品販売登録データ処理装置。
【請求項３】
前記テナントコード入力手段は、置数キーによって入力された数値データが前記部門コードであることを指示する部門キーの入力があった場合に、入力された当該部門コードを前記テナントコードであるとして入力を受け付ける、
ことを特徴とする請求項１または２記載の商品販売登録データ処理装置。
【請求項４】
前記テナントコード入力手段は、テナントコードをプリセットしたプリセットテナントキーの入力があった場合に、プリセットされている前記テナントコードの入力を受け付ける、
ことを特徴とする請求項１または２記載の商品販売登録データ処理装置。
【請求項５】
前記売上情報入力手段は、前記テナントコードに対して設定された課税種別に応じて税額を算出する、
ことを特徴とする請求項１ないし４の何れか一記載の商品販売登録データ処理装置。
【請求項６】
テナント店舗で販売される商品を部門コード単位で売上登録処理する商品販売登録データ処理装置を制御するコンピュータを、
前記テナント店舗の店舗識別コードであるテナントコードの入力を受け付けるテナントコード入力手段と、
前記テナント店舗で販売される商品の売上にかかる情報の入力を受け付ける売上情報入力手段と、
前記売上情報入力手段により入力された前記売上にかかる情報を、前記部門コードの代わりに前記テナントコード入力手段により入力された前記テナントコードに対応付けて上位のコンピュータシステムに送信する情報送信手段と、
として機能させるためのプログラム。
【発明の詳細な説明】
【技術分野】
【０００１】
本発明の実施形態は、商品販売登録データ処理装置およびプログラムに関する。
【背景技術】
【０００２】
例えば、ショッピングセンターにおいては、複数のテナント店舗が出店している。このような各テナント店舗には、上位のコンピュータシステムを通信回線で接続したＰＯＳターミナルがそれぞれ設置されている。
【０００３】
そして、各テナント店舗に設置されたＰＯＳターミナルは、１取引が決済される毎に、その取引において売上登録処理された商品の販売データをまとめて上位のコンピュータシステムに送信する。
【０００４】
一方、上位のコンピュータシステムは、ＰＯＳターミナルから送られてきた各商品の販売データを商品別に集計する。さらに、上位のコンピュータシステムは、この商品別に集計した販売データをその商品を販売しているテナント店舗別に集計して、各テナント店舗の売上を管理している。
【０００５】
ところで、従来の上位のコンピュータシステムは、ＰＯＳターミナルに関連付けて記憶されたフロア番号や売場コードなどのターミナル情報に基づいてどのテナント店舗に設置されているＰＯＳターミナルかを判断した後、テナント店舗別の集計を実行し、各テナント店舗の売上を管理している。
【０００６】
しかしながら、ショッピングセンターにおいて使用されるＰＯＳターミナルは、イベントの際に増設されることも多く、フロア番号や売場コードなどのターミナル情報をＰＯＳターミナルに関連付ける管理が難しいものとなっている。
【発明の概要】
【発明が解決しようとする課題】
【０００７】
本発明が解決しようとする課題は、ターミナル情報に基づいてどのテナント店舗に設置されているＰＯＳターミナルなのかを上位のホストコンピュータが判断しなくても、各テナント店舗別の売上にかかる情報を容易に把握することができる商品販売登録データ処理装置およびプログラムを提供することである。
【課題を解決するための手段】
【０００８】
実施形態の商品販売登録データ処理装置は、テナント店舗で販売される商品を部門コード単位で売上登録処理する商品販売登録データ処理装置において、前記テナント店舗の店舗識別コードであるテナントコードの入力を受け付けるテナントコード入力手段と、前記テナント店舗で販売される商品の売上にかかる情報の入力を受け付ける売上情報入力手段と、前記売上情報入力手段により入力された前記売上にかかる情報を、前記部門コードの代わりに前記テナントコード入力手段により入力された前記テナントコードに対応付けて上位のコンピュータシステムに送信する情報送信手段と、を備える。
【図面の簡単な説明】
【０００９】
【図１】図１は、実施形態にかかるショッピングセンターにおけるシステム構成を示す図である。
【図２】図２は、ＰＯＳターミナルの要部構成を示すブロック図である。
【図３】図３は、キーボードの構成を示す平面図である。
【図４】図４は、ＲＡＭに形成される主要なメモリエリアを示す図である。
【図５】図５は、ＰＯＳターミナルにおける販売商品の登録処理にかかる機能ブロック図である。
【図６】図６は、販売商品の登録処理の流れを示すフローチャートである。
【発明を実施するための形態】
【００１０】
以下、本実施形態について図面を用いて説明する。
【００１１】
ここで、図１は実施形態にかかるショッピングセンターにおけるシステム構成を示す図である。図１に示すように、複数のテナント店舗Ａ，Ｂが基幹店舗Ｃに出店しているショッピングセンターにおいては、テナント店舗Ａ，Ｂ、基幹店舗Ｃの３つの店舗に、商品販売登録データ処理装置として機能するＰＯＳターミナルＴ１，Ｔ２，Ｔ３がそれぞれ設置されている。
【００１２】
ここで、各店舗Ａ，Ｂ，Ｃには、それぞれ店舗識別コードとしてテナントコードを予め設定している。例えば、テナント店舗Ａの店舗コードを［１１］とし、テナント店舗Ｂの店舗コードを［１２］とする。なお、図１の例では、基幹となるテナント店舗Ｃについても店舗コードを［１３］としている。また、各テナントコードについては、各店舗における課税種別（非課税、外税、内税）が設定されている。
【００１３】
また、基幹店舗Ｃで販売される各商品を分類する分類コードとして［１］〜［１０］の１０個の部門コードを使用する。
【００１４】
また、図１に示すように、各ＰＯＳターミナルＴ１，Ｔ２，Ｔ３は、上位のホストコンピュータＨＣに、ネットワークＮＷを介してデータ通信自在に接続されている。
【００１５】
次に、ＰＯＳターミナルＴ１，Ｔ２，Ｔ３について詳述する。ここで、図２はＰＯＳターミナルＴ１，Ｔ２，Ｔ３の要部構成を示すブロック図である。図２に示すように、各ＰＯＳターミナルＴ１，Ｔ２，Ｔ３は同一構成である。以降においては、テナント店舗Ａに設置されるＰＯＳターミナルＴ１を例に説明する。
【００１６】
すなわち、ＰＯＳターミナルＴ１は、制御部本体としてＣＰＵ（Central  Processing  Unit）１１を備えている。また、ＰＯＳターミナルＴ１は、ＣＰＵ１１が実行するプログラムなどを格納したＲＯＭ（Read  Only  Memory）１２、ＣＰＵ１１がデータ処理で使用する各種のメモリエリアを形成するＲＡＭ（Random  Access  Memory）１３、日付及び時刻を計時する時計部１４を備えている。
【００１７】
なお、ＰＯＳターミナルＴ１のＣＰＵ１１を動作させるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００１８】
また、ＰＯＳターミナルＴ１のＣＰＵ１１を動作させるプログラムを、インターネット等のネットワークに接続されたコンピュータ上に格納し、ネットワーク経由でダウンロードさせることにより提供するように構成しても良い。また、ＰＯＳターミナルＴ１のＣＰＵ１１を動作させる制御プログラムをインターネット等のネットワーク経由で提供または配布するように構成しても良い。
【００１９】
さらに、ＰＯＳターミナルＴ１は、ネットワークＮＷを介して接続されるホストコンピュータＨＣとのデータ伝送を司る通信インタフェース１５、モードスイッチ１６からの信号を入力するとともにドロワ（不図示）を自動開放するドロワ開放装置１７に駆動信号を出力するＩ／Ｏポート１８を備えている。
【００２０】
さらにまた、ＰＯＳターミナルＴ１は、キーボード１９からキー操作に対応するキー信号を取込むキーボードコントローラ２０、オペレータに対して金額等のデータを表示するオペレータ用表示器２１及び買物客に対して同様なデータを表示する客用表示器２２の表示動作を制御する表示コントローラ２３、レシート印字及びジャーナル印字を行うプリンタ２４の印字動作を制御するプリンタコントローラ２５等を備えている。
【００２１】
そして、ＰＯＳターミナルＴ１は、ＣＰＵ１１と、ＲＯＭ１２，ＲＡＭ１３，時計部１４，通信インタフェース１５，Ｉ／Ｏポート１８，キーボードコントローラ２０，表示コントローラ２３およびプリンタコントローラ２５を、アドレスバス，データバス等のバスライン２６で接続して、ＰＯＳターミナルの制御回路を構成している。
【００２２】
モードスイッチ１６は、「登録」，「点検」，「精算」，「設定」などの各種業務モードを選択しその実行をＣＰＵ１１に指令するためのスイッチである。ここで「登録」とは、キーボード１９のキー入力により販売登録された商品の販売点数，金額などのデータをＲＡＭ１３の所定メモリエリアに売上登録処理する業務のモードである。「点検」とは、前記「登録」業務において各商品の販売データが売上登録処理された所定メモリエリアの内容をレポート出力する業務のモードである。「精算」とは、「点検」業務と同様に所定メモリエリアの内容をレポート出力した後、その所定メモリエリアの内容をクリアする業務のモードである。「設定」とは、各業務を実行する上で必要なデータを予めＲＡＭ１３に設定する業務のモードである。
【００２３】
キーボード１９は、図３に示すように、数値データを入力するための置数キー３１、数値データをクリアするクリアキー３２，［１］〜［１０］までの部門コードをそれぞれプリセットしてなる１０個のプリセット部門キー３３，［１１］〜［１３］までのテナントコードをそれぞれプリセットしてなる３個のプリセットテナントキー４３の他、金額キー３４，取消キー３５，乗算キー３６，部門キー３７，値引キー３８，小計キー３９，掛計キー４０，商品券キー４１，預／現計キー４２などの各種ファンクションキーを配設した部門売上登録機能を有するＰＯＳターミナル専用のキーボードである。
【００２４】
ここで、金額キー３４は、置数キー３１によって入力された数値データが販売商品の売上金額であることを指示するキーである。取消キー３５は、直前に登録した商品の取消を指示するキーである。乗算キー３６は、置数キー３１によって入力された数値データが販売商品の売上点数であることを指示するキーである。部門キー３７は、置数キー３１によって入力された数値データが部門コードであることを指示するキーである。値引キー３８は、置数キー３１によって入力された数値データが値引金額であることを指示するキーである。小計キー３９は、１取引として販売登録された商品の合計出力を指示するキーである。掛計キー４０は、１取引を掛売りで決済することを宣言するキーである。商品券キー４１は、１取引を商品券で決済することを宣言するキーである。預／現計キー４２は、１取引を現金で決済することを宣言するキーである。ここに、掛計キー４０，商品券キー４１及び預／現計キー４２は、１取引の決済を指示する登録締め手段である締めキーとして機能する。
【００２５】
加えて、キーボード１９は、テナント売上宣言キー５０を配設している。テナント売上宣言キー５０は、テナント店舗における商品の売上にかかる情報の入力を宣言するキーである。
【００２６】
かかる構成のＰＯＳターミナルＴ１において、ＲＡＭ１３は、図４に示すように、［１］〜［１０］までの部門コード別、および［１１］〜［１３］までのテナントコード別に売上点数、売上金額、税額を累計記憶する売上メモリ５１を有している。
【００２７】
次に、ＰＯＳターミナルＴ１のＲＯＭ１２に格納されたプログラムがＣＰＵ１１に実行させる機能について説明する。本実施形態においては、従来のＰＯＳターミナルによって行なわれる処理と同様の処理についてはその説明を省略する。
【００２８】
ここでは、本実施形態のＰＯＳターミナルＴ１の有する特長的な機能である販売商品の登録処理について説明する。
【００２９】
ここで、図５はＰＯＳターミナルＴ１における販売商品の登録処理にかかる機能ブロック図である。図５に示すように、ＰＯＳターミナルＴ１のＣＰＵ１１で実行されるプログラムは、テナントコード入力手段１１１と、売上情報入力手段１１２と、情報送信手段１１３と、を含むモジュール構成となっている。ＣＰＵ１１は、ＲＯＭ１２からプログラムを読み出して、上記各部をＲＡＭ１３にロードする。これにより、テナントコード入力手段１１１と、売上情報入力手段１１２と、情報送信手段１１３とがＲＡＭ１３上に生成される。
【００３０】
テナントコード入力手段１１１は、テナント店舗の店舗識別コードであるテナントコードの入力を受け付ける。テナントコード入力手段１１１は、置数キー３１によって入力された数値データが部門コードであることを指示する部門キー３７の入力があった場合に、入力された当該部門コードをテナントコードであるとして入力を受け付ける。また、テナントコード入力手段１１１は、テナントコードをプリセットしたプリセットテナントキー４３の入力があった場合に、プリセットされているテナントコードの入力を受け付ける。
【００３１】
売上情報入力手段１１２は、テナント店舗で販売される商品の売上にかかる情報として売上金額、税額、売上金額と税額との合計金額の入力を受け付ける。
【００３２】
情報送信手段１１３は、売上情報入力手段１１２により入力された売上にかかる情報（売上金額、税額、売上金額と税額との合計金額）を、部門コードの代わりにテナントコード入力手段１１１により入力されたテナントコードに対応付けて上位のホストコンピュータＨＣに送信する。
【００３３】
次に、販売商品の登録処理の流れについて、図６のフローチャートを参照して説明する。
【００３４】
図６に示すように、ＰＯＳターミナルＴ１のＣＰＵ１１は、モードスイッチ１６により「登録」モードが選択されているとき、テナント売上宣言キー５０が操作されずに（ステップＳ１のＮｏ）、置数キー３１や金額キー３４などが操作された場合には、販売商品の部門売上登録処理を実行する（ステップＳ２）。
【００３５】
部門売上登録処理において、ＰＯＳターミナルＴ１のＣＰＵ１１は、置数キー３１と金額キー３４とにより販売商品の売上金額を入力するとともに、プリセット部門キー３３または置数キー３１と部門キー３７とにより販売商品の部門コードを、その部門コードに対応する売上メモリ５１の売上金額エリアに、キー入力された販売商品の売上金額を加算する。
【００３６】
また、ＰＯＳターミナルＴ１のＣＰＵ１１は、各店舗における課税種別（非課税、外税、内税）の設定に応じて税額を算出し、算出した税額を売上メモリ５１の税額エリアに格納する。
【００３７】
さらに、部門売上登録処理において、ＰＯＳターミナルＴ１のＣＰＵ１１は、売上メモリ５１の該当部門コードに対応する売上点数エリア及び売上金額エリアに売上点数＝１と上記売上金額とをそれぞれ加算する処理を行なう。なお、１取引の最初の部門売上登録処理が開始される前に、売上メモリ５１の各エリアは“０”にクリアされている。
【００３８】
また、本実施形態のＰＯＳターミナルにおいては、部門コードに代えてテナント店舗別に決められたテナントコードとともに売上にかかる情報（売上金額、税額、売上金額と税額との合計金額）を入力することによって、テナント店舗毎の売上を登録することができるようになっている。
【００３９】
より詳細には、図６に示すように、ＰＯＳターミナルＴ１のＣＰＵ１１は、テナント売上宣言キー５０が操作されたことを検知すると（ステップＳ１のＹｅｓ）、テナント売上登録処理を実行する（ステップＳ３）。
【００４０】
テナント売上登録処理において、ＰＯＳターミナルＴ１のＣＰＵ１１（テナントコード入力手段１１１、売上情報入力手段１１２）は、置数キー３１と部門キー３７とによりＰＯＳターミナルＴ１が設置されたテナント店舗Ａのテナントコードが入力され、またはプリセット部門キー３３によりＰＯＳターミナルＴ１が設置されたテナント店舗Ａのテナントコードが入力されるとともに（ステップＳ３−１）、置数キー３１と金額キー３４とにより販売商品の売上金額が入力されると（ステップＳ３−２）、テナントコードの設定が課税対象であるか否かを判断する（ステップＳ３−３）。
【００４１】
ＰＯＳターミナルＴ１のＣＰＵ１１は、テナントコードの設定が課税対象であると判定した場合（ステップＳ３−３のＹｅｓ）、税額（外税額または内税額）を算出し（ステップＳ３−４）、売上金額と税額と売上金額及び税額の合計金額とをオペレータ用表示器２１及び客用表示器２２に表示する（ステップＳ３−５）。
【００４２】
また、ＰＯＳターミナルＴ１のＣＰＵ１１は、テナントコードの設定が課税対象でない（非課税）と判定した場合（ステップＳ３−３のＮｏ）、売上金額（合計金額）をオペレータ用表示器２１及び客用表示器２２に表示する（ステップＳ３−５）。
【００４３】
以上のようにして、１取引における１点目の販売商品についての部門売上登録処理またはテナント売上登録処理が終了すると、ＰＯＳターミナルＴ１のＣＰＵ１１は、小計キー３９が操作されたか否かを判断する（ステップＳ４）。
【００４４】
ＰＯＳターミナルＴ１のＣＰＵ１１は、小計キー３９が操作されていない場合には（ステップＳ４のＮｏ）、１取引の２点目以降の商品が部門売上登録またはテナント売上登録されるので、ステップＳ１に戻り部門売上登録処理またはテナント売上登録処理を繰り返す。かくして、ＰＯＳターミナルＴ１のＣＰＵ１１は、１取引として販売される商品の部門売上登録処理またはテナント登録処理が順次行われる毎に、その販売商品の売上点数、売上金額、税額を売上メモリ５１上で部門コード別またはテナントコード別に合計する処理を行うものとなっている。
【００４５】
一方、ＰＯＳターミナルＴ１のＣＰＵ１１は、小計キー３９が操作されたことを検知すると（ステップＳ４のＹｅｓ）、小計演算処理を実行する（ステップＳ５）。
【００４６】
小計演算処理は、売上メモリ５１の売上金額エリアにおける金額を１取引で販売登録された商品の合計金額として取得し、税額に合計金額を加えた税込み合計金額をオペレータ用表示器２１及び客用表示器２２に表示させる。
【００４７】
次に、ＰＯＳターミナルＴ１のＣＰＵ１１は、小計演算処理を終了すると（ステップＳ５）、掛計キー４０，商品券キー４１または預／現計キー４２の締めキーが操作されるのを待機する（ステップＳ６）。
【００４８】
そして、ＰＯＳターミナルＴ１のＣＰＵ１１は、締めキーが操作された場合には（ステップＳ６のＹｅｓ）、締めキーの種類に応じた取引締め処理を実行する（ステップＳ７）。
【００４９】
例えば、入力された締めキーが現金決済を示す預／現計キー４２であった場合には、ＰＯＳターミナルＴ１のＣＰＵ１１は、この預／現計キー４２の入力直前に置数入力された預かり金額から税込み合計金額を減算して釣銭額を算出する。そして、ＰＯＳターミナルＴ１のＣＰＵ１１は、釣銭額が０または正であるとき１取引の決済が完了したと判断して、釣銭額をオペレータ用表示器２１及び客用表示器２２に表示させるとともに、プリンタ２４によりレシートを印字発行する。
【００５０】
その後、ＰＯＳターミナルＴ１のＣＰＵ１１（情報送信手段１１３）は、売上メモリ５１の商品の売上にかかる情報（部門コード別またはテナントコード別の売上点数、売上金額、税額）をネットワークＮＷを介してホストコンピュータＨＣに送信し（ステップＳ８）、処理を終了する。
【００５１】
以上のようにしてＰＯＳターミナルＴ１，Ｔ２が設置されたテナント店舗Ａ，Ｂのテナントコードに対応付けて商品の売上にかかる情報（部門コード別またはテナントコード別の売上点数、売上金額、税額）をホストコンピュータＨＣに送信することによって、ホストコンピュータＨＣでは、テナント店舗Ａ，Ｂ別の売上金額，税額及び合計金額をそれぞれ集計することができる。すなわち、ホストコンピュータＨＣでは、従来の部門コード別に集計する機能によって、部門コードに代えてテナントコードを選択することでテナントコードごとに集計でき、テナント店舗Ａ，Ｂ別に売上の集計が可能となる。
【００５２】
したがって、本実施形態によれば、フロア番号や売場コードなどのターミナル情報に基づいてどのテナント店舗に設置されているＰＯＳターミナルなのかを上位のホストコンピュータＨＣが判断しなくても、各テナント店舗別の売上金額，税額及び合計金額などを容易に把握することができ、各テナント店舗毎の売上金額，税額及び合計金額を正確に管理できるようになる。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
５０      テナント売上宣言キー
１１１    テナントコード入力手段
１１２    売上情報入力手段
１１３    情報送信手段
Ｔ１，Ｔ２，Ｔ３    商品販売登録データ処理装置
【先行技術文献】
【特許文献】
【００５５】
【特許文献１】特開２００１−７６２５６号公報
【図１】
2015087822.tif 000003
【図２】
2015087822.tif 000004
【図３】
2015087822.tif 000005
【図４】
2015087822.tif 000006
【図５】
2015087822.tif 000007
【図６】
2015087822.tif 000008